(57)【要約】ケース２０Ｃ内の１対の爪部材３６Ｒ、３６Ｌがばね３８によってケース２０Ｃの外面から飛び出ており、ケース２０Ｃを壁孔２２Ｈに貫通する際に、爪部材３６Ｒ、３６Ｌは、外縁（案内）傾斜面３６ＲＯＩ、３６ＬＯＩと壁孔２２Ｈとの係合によって窄められてケース２２Ｃを壁孔２２Ｈに貫通して通り抜けると、ばね３８によって広げられて係止傾斜面３６ＲＬＩ、３６ＬＬＩが壁孔２２Ｈに係止してケース２２Ｃの鍔２０ＦＬと共にケース２２Ｃを壁２２に仮止めし、その後、ねじ３２を締め込んでナット３４を鍔２０ＦＬ側に引き寄せてナット３４に保持された爪部材３６Ｒ、３６Ｌを壁孔２２Ｈに強固に係止してケース２０Ｃを壁２２に本止めする。
2017110679.tif 000002
【特許請求の範囲】
【請求項１】
壁の外面に係合すべき鍔を有し前記壁を貫通すべき物体のケースと、前記ケースに保持され前記壁の内面に係合するように駆動される壁内面係止手段とを備え、前記ケースの鍔と前記壁内面係止手段とで前記壁を挟持して前記物体を前記壁に固定して取り付ける物体の壁貫通取付け装置において、前記壁内面係止手段は、前記ケースに回転自在に支持されたねじと、前記ケース内に前記壁の面に対して接近したり離反したりする方向に変位することができるように回転不能に保持されたナットと、前記ナットに前記壁の面に沿う方向に変位自在に保持されて前記壁の内面に係合すべき少なくとも１つの爪部材と、前記爪部材を前記ナットに対して離反するように付勢する付勢部材とを備え、前記ねじを前記ナットにねじ込んで前記ナットと前記爪部材とが前記壁の内面に向けて変位して前記ケースの鍔と前記爪部材との間で前記壁を挟持するようにしたことを特徴とする壁貫通取付け装置。
【請求項２】
請求項１に記載の壁貫通取付け装置であって、前記爪部材と前記壁の孔との間には、前記ケースが前記壁の孔に貫通する際に前記壁孔に係合して前記付勢部材に抗して前記壁孔の通過を許すように前記爪部材を前記ケースの外面から引っ込めるように変位する手段を有する壁貫通取付け装置。
【請求項３】
請求項２に記載の壁貫通取付け装置であって、前記爪部材を引っ込める手段は、前記爪部材の外縁に設けられて前記ケースが前記壁の孔に貫通する際に前記壁の孔の縁に係合して前記付勢部材に抗して前記爪部材を前記ナットに接近するように変位する外縁傾斜面から成っている壁貫通取付け装置。
【請求項４】
請求項１乃至３のいずれかに記載の壁貫通取付け装置であって、前記ケースは、前記ケース内に設けられ前記ナット及び爪部材を前記壁の面に接近したり離反したりする方向に摺動自在で前記ねじの回転方向に回転不能に支持するように前記ナットの案内溝に係入するガイドを有する壁貫通取付け装置。
【請求項５】
請求項１乃至４のいずれかに記載の壁貫通取付け装置であって、前記ケースは、前記ケース内に設けられ前記ナット及び爪部材が前記壁の面に接近したり離反したりする方向で前記ケースの鍔側に変位すると、前記爪部材が前記ナットに近づくことができないように前記爪部材が係合して前記爪部材を裏当てする裏当てテーパ面を有する壁貫通取付け装置。
【請求項６】
請求項１乃至５のいずれかに記載の壁貫通取付け装置であって、前記爪部材は、前記ナットに形成された突部に前記前記壁の面に沿う方向に摺動自在に支持されている壁貫通取付け装置。
【請求項７】
請求項１乃至６のいずれかに記載の壁貫通取付け装置であって、前記１対の爪部材は、前記壁孔の内縁に係止する係止傾斜面を有し、前記係止傾斜面は、前記ねじのねじ込みで前記ナットと共に前記爪部材が前記壁孔の内縁に向けて変位して前記ケースの鍔と共に前記物体を前記壁に固定するようにする壁貫通取付け装置。
【請求項８】
請求項１乃至７のいずれかに記載の壁貫通取付け装置であって、前記付勢部材は、前記爪部材の内面に沿って延びるばね片を有する略Ｕ字形の形態である壁貫通取付け装置。
【請求項９】
請求項１乃至８のいずれかに記載の壁貫通取付け装置であって、少なくとも１対の爪部材を備え、前記１対の爪部材は、前記ナットの両側に対照的に配置されている壁貫通取付け装置。
【発明の詳細な説明】
【技術分野】
【０００１】
本発明は、例えば、鉄道車両の座席の背面等に取り付けられる折り畳みフックを有するハンガーのケースを座席の壁を貫通してその壁に取り付けられるハンガーの如き種々の物体又は適宜の物体を保持する保持体を取り付ける壁貫通取付け装置（又は壁貫通取付け具）の改良に関するものである。
【背景技術】
【０００２】
物体を壁に貫通してその壁に取り付けて固定する取付け装置（又は取付け具）（以下単に取付け装置と称する）は、物体を壁に貫通した後、この壁の内外面で挟むようにして物体を壁に取り付けて固定する種々の形態のものが提案されている（特許文献１乃至３参照）。【０００３】
特許文献１（実公平５−２６５６号公報）に記載の取付け装置は、壁１（特許文献１では支柱１と称している）とこの壁１に取り付けられるべき物体４（特許文献１では横レール４と称されている）とをそれぞれの孔３、５が整列するように配置し、これらの孔に貫通させる締め付けボルト組立体６（特許文献１では締付用ボルト６と称している）から成っている。この締付けボルト組立体６は、この組立体６を孔３、５に貫通した後、ボルト本体７をねじ部１６にねじ込むと、ねじ部１６に一体の爪付裏当て部材９（特許文献１では切込み溝１４付スリーブ９と称している）の爪（スリーブの縦割り部分）がボルト本体７のテーパ部１２に沿って開いてボルト本体７側の鍔板１７と爪との間で壁１に挟持して物体４を取付け固定している。【０００４】
また、特許文献２（欧州特許第０１０４９８０Ｂ１号公報）に記載の取付け装置は、取り付けられるべき物体３２に軸線方向に摺動自在に収納されたナット３３とこのナット３３に締め込まれるべきボルト３６とナット３３の空間内に収納された３枚羽根２とから成っており、ボルト３６をナット３３に締め込むと、ナット３３がボルト３６の頭部に向けて軸線方向に移動するため、このナット３３に収納されている３枚羽根２の基部が物体３２の内周の凸部で押されて開いて物体３２の外周から突出し、物体３２の鍔１と開いた羽根２とで物体３２が挟まれてこの物体３２が壁６に固定して取り付けられる。【０００５】
また、特許文献３（特表２００９−５２６９５３号公報）に記載の取付け装置は、壁１８を貫通する物体２４(特許文献３では脚部２４と称されている)内にばね２８によって相互に離反して広がるように保持された２つの保持素子３０、３１から成っており、物体２４を壁１８に貫通する際には、物体２４の鍔２０のねじ孔３０にねじ４４をねじ込んでこのねじ４４の先端４０を保持素子３０、３１  のへこみ４６，４８に食い込ませることによって保持素子３０、３１をばね２８に抗して相互に接近して総体的に長さが収縮するように変位させて、物体２４を壁１８に貫通し、その後、ねじ４４を緩めてばね２８によって保持素子３０，３１を相互に離反するように伸長することによって物体２４の鍔２０と保持素子３０、３１の端部との間で壁１８を挟んで物体２４を壁１８に取付けている。【０００６】
しかし、これらの特許文献１及び２に開示された先行技術は、いずれも、物体又は物体を保持する保持体を壁に貫通して壁の内側で壁を挟むように変位すべき爪付き裏当て部材(特許文献１)、３枚羽根(特許文献２)を駆動するまでに物体が壁から脱落することがないように手で保持する必要があり、従って取付け作業が煩雑であり、作業性が低い欠点があった。また、特許文献３に開示された先行技術は、単に２つの保持素子の相対的な伸長によって壁に保持するだけであり、物体を壁に強固に取り付けることができない欠点があった。
【先行技術文献】
【特許文献】
【０００７】
【特許文献１】実公平５-２６５６号明細書
【特許文献２】ＥＰ０１０４９８０Ｂ１公報
【特許文献３】特表２００９−５２６９５３号公報
【発明の開示】
【発明が解決しようとする課題】
【０００８】
本発明が解決しようとする課題は、取り付けられるべき物体を壁に貫通した後、壁の内面に係止すべき部分が係合するように駆動されるまでに物体を壁に仮止めすることができ、従って物体を壁に本止めするまでに、物体を手で保持する必要がなく、作業性よく、物体を壁に固定して取り付けることができる壁貫通取付け装置を提供することにある。
【課題を解決するための手段】
【０００９】
本発明の課題解決手段は、壁の外面に係合すべき鍔を有し前記壁を貫通すべき物体のケースと、前記ケースに保持され前記壁の内面に係合するように駆動される壁内面係止手段とを備え、前記ケースの鍔と前記壁内面係止手段とで前記壁を挟持して前記物体を前記壁に固定して取り付ける物体の壁貫通取付け装置において、前記壁内面係止手段は、前記ケースに回転自在に支持されたねじと、前記ケース内に前記壁の面に対して接近したり離反したりする方向に変位することができるように回転不能に保持されたナットと、前記ナットに前記壁の面に沿う方向に変位自在に保持されて前記壁の内面に係合すべき少なくとも１つの爪部材と、前記爪部材を前記ナットに対して離反するように付勢する付勢部材とを備え、前記ねじを前記ナットにねじ込んで前記ナットと前記爪部材とが前記壁の内面に向けて変位して前記ケースの鍔と前記爪部材との間で前記壁を挟持するようにしたことを特徴とする壁貫通取付け装置を提供することにある。【００１０】
本発明の課題解決手段において、前記爪部材と前記壁の孔との間には、前記ケースが前記壁の孔に貫通する際に前記壁孔に係合して前記付勢部材に抗して前記壁孔の通過を許すように前記爪部材を前記ケースの外面から引っ込める手段を有するのが好ましい。【００１１】
本発明の課題解決手段において、前記爪部材を引っ込める手段は、前記爪部材の外縁に設けられて前記ケースが前記壁の孔に貫通する際に前記壁の孔の縁に係合して前記付勢部材に抗して前記爪部材を前記ナットに接近するように変位する外縁傾斜面から成っている形態とすることができる。【００１２】
本発明の課題解決手段において、前記ケースは、前記ケース内に設けられ前記ナット及び爪部材を前記壁の面に接近したり離反したりする方向に摺動自在で前記ねじの回転方向に回転不能に支持するように前記ナットの案内溝に係入するガイドを有するのが好ましい。【００１３】
本発明の課題解決手段において、前記ケースは、前記ケース内に設けられ前記ナット及び爪部材が前記壁の面に接近したり離反したりする方向で前記ケースの鍔側に変位すると、前記爪部材が前記ナットに近づくことができないように前記爪部材が係合して前記爪部材を裏当てする裏当てテーパ面を有するのが好ましい。【００１４】
本発明の課題解決手段において、前記爪部材は、前記ナットに形成された突部に前記前記壁の面に沿う方向に摺動自在に支持されているのが好ましい。【００１５】
本発明の課題解決手段において、前記爪部材は、前記壁孔の内縁に係止する係止傾斜面を有し、前記係止傾斜面は、前記ねじのねじ込みで前記ナットと共に前記爪部材が前記壁孔の内縁に向けて変位して前記ケースの鍔と共に前記物体を前記壁に固定するようにする形態とすることができる。【００１６】
本発明の課題解決手段において、前記付勢部材は、前記爪部材の内面に沿って延びるばね片を有する略Ｕ字形の形態とすることができる。【００１７】
本発明の課題解決手段において、１対の爪部材を備え、これらの１対の爪部材は、ナットの両側に対照的に配置されている形態とすることができる。
【発明の効果】
【００１８】
本発明によれば、物体を壁孔に貫通しようとすると、ナットに保持された爪部材がケースから引っ込んで壁孔を貫通することができ、物体の鍔が壁の外面に衝合するまで貫通すると、爪部材は、付勢部材の力で広がって壁の内面に係止するので、物体を壁に仮止めすることができ、従って、物体から手を離しても物体が壁から落下することがなく、その後のねじの締め付けによって爪部材が物体を本止めするまで物体から脱落することがなく、従って、ねじの締め付けによる本止め作業を容易に行うことができ、物体の固定取付けを高い作業性で行うことができる。
【図面の簡単な説明】
【００１９】
【図１】本発明による物体の壁貫通取付け装置を備えた物掛けフック（物体）を示し、同図（Ａ）は、物掛けフックを壁に取り付ける前の状態の斜視図、同図（Ｂ）は、物掛けフックを壁に貫通して固定し、取り付けた状態の斜視図である。
【図２】壁に取り付ける前の物掛けフック（物体）のフック使用状態の斜視図である。
【図３】本発明の装置を備えた物掛けフックの分解状態を示し、同図（Ａ）は、背面側から見た斜視図、同図（Ｂ）は、正面側から見た斜視図である。
【図４】本発明の装置を備えた物掛けフックの組立て状態を示し、同図（Ａ）乃至（Ｃ）は、それぞれその正面図、右側面図及び背面図である。
【図５】図４の物掛フックの断面を示し、同図（Ａ）は、図４（Ａ）の５Ａ−５Ａ断面図、同図（Ｂ）（Ｃ）は、図４（Ｃ）の５Ｂ−５Ｂ線及び５Ｃ−５Ｃ線断面図、同図（Ｄ）は、１対の爪部材が拡張した状態の断面図、同図（ＤＳ）１対の爪部材が縮小した状態の断面図である。
【図６】１対の爪部材とばねとの関係を示し、同図（Ａ）は、その斜視図、同図（Ｂ）は、その上面図、同図（Ｃ）は、その下面図である。
【図７】本発明の装置を備えた物掛けフック（物体）を壁に取り付ける状態を示し、同図（Ａ）乃至（Ｄ）は、それぞれ、物体の挿入前の状態、挿入中の状態、挿入後の本止め状態及び薄い壁に本止めした状態の縦断面図である。
【発明を実施するための形態】
【００２０】
本発明の実施の形態を図面を参照して詳細に述べるが、図１は、本発明の物体の壁貫通取付け装置１０を備えた物体２０が物掛けフック２０Ｆであるのが示されており、同図（Ａ）は、物掛けフック２０Ｆが壁２２に取り付けられる前の状態を示し、同図（Ｂ）は、物掛けフック２０Ｆが壁２２の壁孔２２Ｈを貫通して取り付けられた状態を示す。以下の説明では、物掛けフック２０Ｆを単に物体２０と称する。
【００２１】
本発明の物体の壁貫通取付け装置１０は、図１乃至図３に示すように、壁２２を貫通すべき物体２０自体で構成され又はこの物体２０に一体に保持され壁２２の外面に係合すべき鍔２０ＦＬを有するケース２０Ｃと、このケース２０Ｃに保持され壁２２の内面に係合するように駆動される壁内面係止手段３０（図３（Ａ）参照）とを備え、ケース２０Ｃを壁２２に貫通した状態でケース２０Ｃの鍔２０Ｆと壁内面係止手段３０の係止部分とを壁２２の外内面に締め付けつつ挟持して物体２０を壁２２に固定して取り付けている。図示の形態では、ケース２０Ｃは、物体２０自体の一部であり、物掛けフック２０Ｆのケースを兼ねているが、物体を保持する保持体のケースであってもよい。
【００２２】
物掛けフック２０Ｆは、ケース２０Ｃの正面の窪み２０Ｒに収納されるフック部材２４を含み、このフック部材２４は、ケース２０Ｃの両側壁を貫通するピン２６に枢動自在に支持されており（図５（Ａ）参照）、この枢動部分には戻りばね２８によって通常ではフック部材２４がケース２０Ｃの窪み２０Ｒ内に収納されるように維持されている。なお、この枢動部分には、フック部材２４を図２に示すように開いてこのフック部材２４に適宜の物を掛けた状態でこの物を外した時に、フック部材２４が急激に戻るのを抑制する図示しない緩衝器が設けられている。
【００２３】
本発明に用いられる壁内面係止手段３０は、図３及び図５に示すように、ケース２０Ｃの窪み２０Ｒの底にある面壁２０Ｗ（図５（Ａ）参照）に回転自在に支持されたねじ３２と、ケース２０Ｃの面壁２０Ｗの壁面に接近したり離反したりする第１の方向（図３のＡ方向）に変位することができるように面壁２０Ｗの裏側の窪み２０ＷＲに回転不能に保持されたナット３４（図５（Ａ）参照）と、ナット３４の両側に対照的に配置されて保持され面壁２０Ｗの壁面に沿う第２の方向（図３のＢ方向）に摺動自在に変位して壁２２の内面に係合すべき１対の爪部材３６Ｒ、３６Ｌ（図５（Ｂ）乃至（ＤＳ）参照）と、１対の爪部材３６Ｒ、３６Ｌの内側に配置されて１対の爪部材３６Ｒ、３６Ｌを相互に離反して広げるように付勢するばね性の付勢部材３８（図５（Ｃ）及び図６参照）を備えている。
【００２４】
図示の実施の形態では、ナット３４は、図３に示すように、十字状の形態であり、１対の爪部材３６Ｒ、３６Ｌは、この十字の両側に延びる突部３４ＰＲ、３４ＰＬにそれぞれ摺動自在に保持されており、従って、１対の爪部材３６Ｒ、３６Ｌは、このナット３４の突部３４ＰＲ、３４ＰＬに沿って第２の方向に相互に離反したり接近したりするように矢印ＢＲ、ＢＬの方向に変位することができる。
【００２５】
付勢部材３８は、図３、図５に示すように、ナット３４の背面に係合する基部３８Ｂと、この基部３８Ｂから延びる１対のばね片３８Ｐとから成っていて略Ｕ字形の形態を有し、ばね片３８Ｐを１対の爪部材３６Ｒ、３６Ｌの内側に係合して１対の爪部材３６Ｒ、３６Ｌを相互に離反する方向に付勢して１対の爪部材３６Ｒ、３６Ｌをケース２０Ｃの両側から飛び出るようにしている。このばね３８のばね片３８Ｐは、図３に示すように、ナット３４の本体と１対の爪部材３６Ｒ、３６Ｌとの間に位置して突部３４ＰＲ、３４ＰＬを逃げる開口３８ＰＯを有し、またねじ３２の先端が係入する孔３８Ｈを有する。なお、付勢部材３８は、１対のばね片３８Ｐの先端でナット３４の突部３４ＰＬに引っ掛かる折り曲げ端３８ＰＥによってナット３４から脱落することがないようになっている。
【００２６】
図示の実施の形態では、ケース２０Ｃは、このケース２０Ｃ内に設けられナット３４及び1対の爪部材３６Ｒ、３６Ｌを第1の方向に摺動自在でねじ３２の回転方向に回転不能に支持するガイド２０ＣＧを備えており（図３（Ａ）参照）、このガイド２０ＣＧは、ナット３４の内縁に設けられた案内溝３４Ｇ（図３（Ｂ）参照）に係入してナット３４と１対の爪部材３６Ｒ、３６Ｌを第１の方向に変位することができるように案内している。
【００２７】
この１対の爪部材３６Ｒ、３６Ｌは、物体２０が壁２２の孔２２Ｈに貫通する際に、壁孔２２Ｈの内面に係合してばね３８に抗して窄みながら変位して壁孔２２Ｈの通過を許すように案内する外縁（案内）傾斜面３６ＲＯＩ、３６ＬＯＩを有する（図７｛Ａ）参照｝。
【００２８】
本発明による物体の壁貫通取付け装置１０の動作を述べると、１対の爪部材３６Ｒ、３６Ｌは、通常では、付勢部材３８のばね片３８Ｐによって相互に離反してケース２０Ｃの両側面から飛び出すように（ケース２０Ｃの鍔２０ＦＬとほぼ同じ幅に）維持されており（図５（Ｂ）乃至（Ｄ）、図７（Ａ）参照）、１対の爪部材３６Ｒ、３６Ｌの外面間の間隔は、壁孔２２Ｈの内面幅よりも大きくなっているが（図７（Ａ）参照）、物体２０を壁孔２２Ｈに挿入しようとすると、１対の爪部材３６Ｒ、３６Ｌの外縁傾斜面３６ＲＯＩ、３６ＬＯＩに沿って１対の爪部材３６Ｒ、３６Ｌが相互に接近するように窄みながら変位してケース２０Ｃの外面から引っ込み、物体２０の壁孔２２Ｈの通過が許される（図７（Ｂ）参照）。
【００２９】
物体２０の鍔２０ＦＬが壁２２の外面に衝合するまで壁孔２２Ｈを通過し、１対の爪部材３６Ｒ、３６Ｌが壁孔２２Ｈを通り抜けると、１対の爪部材３６Ｒ、３６Ｌは、付勢部材３８によって相互に離反して広がるように変位し、従って、１対の爪部材３６Ｒ、３６Ｌの内縁３６ＲＩ、３６ＬＩが壁２２の内面に衝合し、これによって１対の爪部材３６Ｒ、３６Ｌが壁孔２２Ｈから抜け出ることがない上に、物体２０は、その鍔２０ＦＬと１対の爪部材３６Ｒ、３６Ｌの内縁３６ＲＩ、３６ＬＩとの間で壁２２を挟持することによって壁２２に仮止めされる。
【００３０】
更に詳細に述べると、図５、図７から解るように、１対の爪部材３６Ｒ、３６Ｌの内縁３６ＲＩ、３６ＬＩの外面に係止傾斜面３６ＲＩＯＴ、３６ＬＩＯＴを有し、１対の爪部材３６Ｒ、３６Ｌは、これらのテーパ面３６ＲＩＯＴ、３６ＬＩＯＴが壁孔２２Ｈの下縁に係止して仮止めされる。その後、ねじ３２をナット３４に締め込むと、ナット３４と共に１対の爪部材３６Ｒ、３６Ｌが第１の方向で壁２２に向けて変位して壁２２の内面に向けて引き寄せられ、ケース２０Ｃの鍔２０ＦＬと１対の爪部材３６Ｒ、３６Ｌとの間で一層強固に壁２２を挟持して物体２０を壁２２に固定して本止めされる（図７（Ｃ）参照）。
【００３１】
１対の爪部材３６Ｒ，３６Ｌによる物体の本止めを一層確実にするために、１対の爪部材３６Ｒ、３６Ｌは、図５、図７に示すように、その内縁の相対する面に裏当てテーパ面３６ＲＩＩＴ、３６ＬＩＩＴを有し、一方、ケース２０Ｃの面壁２０ＥＷの裏面にこれらの裏当てテーパ面３６ＲＩＩＴ、３６ＬＩＩＴが衝合する裏当てテーパ面２０ＥＷＴ（図５｛Ｄ）参照｝を有する。従って、ねじ３２が２ナット３４にねじ込まれて１対の爪部材３６Ｒ、３６Ｌが壁２２に一層接近する際に、１対の爪部材２６Ｒ、３６Ｌが壁孔２２Ｈの面に押されても１つの爪部材３６Ｒ、３６Ｌが挟持力を弱めることがなく、物体２０の本止めを強固に行うことができる。
【００３２】
上記のように、本発明の装置１０によれば、物体２０を壁孔２２Ｈに貫通しようとすると、ナット３４に保持された１対の爪部材３６Ｒ、３６Ｌが窄んで壁孔２２Ｈを貫通することができ、物体２の鍔２０ＦＬが壁２２の外面に衝合するまで貫通すると、１対の爪部材３６Ｒ、３６Ｌは、ばね３８の力で広がって壁２２の内面に係止するので、物体２０は、壁に仮止めされる。従って、物体２０から手を離しても物体２０が壁２２から落下することがなく、その後のねじ３２の締め付けによって１対の爪部材３６Ｒ、３６Ｌを本止めするまで物体２０から脱落することがなく、次のねじ３２の締め付けによる本止めを容易に行うことができる。
【００３３】
図７（Ｃ）と図７（Ｄ）とを対比して解るように、図７（Ｃ）のように、壁２２の厚みが大きいと、本止め状態でのねじ３２のねじ込み量は浅いが、図７（Ｄ）のように、壁２２の厚みが小さいと、本止め状態でのねじ３２のねじ込み量が深くなる。
【００３４】
なお、図３（Ａ）において、符号２０Ｂは、ケース２０Ｃの裏蓋であり、この裏蓋２０Ｂは、その係止片２０ＢＰがケース２０Ｃの本体の係止孔２０ＣＨに係止してケース２０Ｃの本体に固定されている。また、図２、３、５、７において、符号３２Ｃは、ねじ３２の頭部に被せられたキャップである。
【００３５】
上記の実施の形態では、物体２０が装置１０のケース２０Ｃを兼ねて一体であったが、ケース２０Ｃは、ケース２０Ｃとは別体でこのケースに保持された物体自体を適宜の手段でケース２０Ｃに固定して物体を壁２２に固定して取り付けるようにしてもよい。また、１対の爪部材３６Ｒ、３６Ｌは、その先端の外縁（案内）傾斜面３６ＲＯＩ、３６ＬＯＩで窄めるようにしているが、１対の爪部材３６Ｒ、３６Ｌ側ではなく、壁孔２２Ｈの外縁側に案内傾斜面を設けてもよいし、これらの傾斜面を設けることなく、１対の爪部材３６Ｒ、３６Ｌを指で窄めながらケース２０Ｃを壁孔２２Ｈに差し込んでもよい。
【００３６】
また、上記実施の形態では、１対の爪部材３６Ｒ、３６Ｌを有していたが、鍔２０ＦＬと１つの爪部材とで壁２２に挟持してもケース２０Ｃが傾くことなく取り付けることができれば、１つの爪部材でもよいし、また、鍔２０ＦＬと２対の爪部材とで壁２２を挟持するようにしてもよい。
【００３７】
上記実施の形態の説明では、壁２２の「外面、内面」及び１対の爪部材３６Ｒ、３６Ｌの「外縁、内縁」という用語を使用したが、これらの用語において「外」とか「内」とかの意味は、ケース２０Ｃを挿入する方向の先方側が「外」で、手前側が「内」という意味に解釈すべきであり、従って、壁２２が大きなケーシングの一部であって、ケース２０Ｃを挿入する側がケーシング内から行われる場合でも、ケーシング内の壁面が外面であり、ケーシング外の壁面が内面であると理解すべきである。
【００３８】
更に、実施の形態では、壁孔２２Ｈにケース２２Ｃを貫通して鍔２２ＦＬと１対の爪部材３６Ｒ、３６Ｌとで壁２２を挟持しているが、壁２２の外面又は内面に被取付け物体を構成し壁２２の孔２２Ｈに整列する孔を有する被取付け物体の壁を重合しこれらの壁の孔にケース２２Ｃを貫通させ、ケース２２Ｃの鍔２２ＦＬと１対の爪部材３６Ｒ、３６Ｌとでこれらの壁を挟持することによって被取付け物体を取り付けることもできる。この場合、ケース２２Ｃとナット３４と１対の爪部材３６Ｒ、３６Ｌとの組立体は、取付け装置というよりは、取付け具と称することができる。
【産業上の利用可能性】
【００３９】
取り付けられるべき物体のケースを壁孔に貫通する際に、このケース内に設けられてばねによってこのケースの外面から飛び出している爪部材が付勢部材に抗してケースの外面から引っ込めてケースを壁孔に貫通することができ、ケースの鍔が壁の外面に衝合するまで貫通すると、爪部材は、付勢部材の力で広がって壁の内面に係止するので、物体は壁に仮止めされるため、物体から手を離しても物体が壁から落下することがなく、その後のねじの締め付けによって爪部材を壁面に近づけて本止めするまで物体から脱落することがなく、従って、ねじの締め付けによる本止めを容易に行うことができ、物体の固定取付けを効率よく行うことができ、高い産業上の利用性を有する。
【符号の説明】
【００４０】
１０  壁貫通取付け装置
２０  物体
２０Ｆ  物掛けフック
２２  壁
２２Ｈ  壁孔
２０Ｃ  ケース
２０ＣＨ  係止孔
２０Ｂ  裏蓋
２０ＢＰ  係止片
２０Ｗ  面壁
２０ＷＲ  窪み
２０ＦＬ  鍔
２０Ｒ  窪み
２０ＧＣ  ガイド
２０ＥＷＴ  テーパ面
２４  フック部材
２６  ピン
２８  戻りばね
３０  壁内面係止手段
３２  ねじ
３２Ｃ  ねじのキャップ
３４  ナット
３４ＰＲ、３４ＰＬ  突部
３４Ｇ  案内溝
３６Ｒ、３６Ｌ  １対の爪部材
３６ＲＬＩ、３６ＬＬＩ  内縁傾斜面
３６ＲＯＩ、３６ＬＯＩ  外縁（案内）傾斜面
３６ＲＩ、３６ＬＩ  内縁
３６ＲＩＩＴ、３６ＬＩＩＴ  テーパ面
３８  付勢部材
３８Ｂ  基部
３８Ｐ  ばね片
３８ＰＥ  折り曲げ端
【図１】
2017110679.tif 000003
【図２】
2017110679.tif 000004
【図３】
2017110679.tif 000005
【図４】
2017110679.tif 000006
【図５】
2017110679.tif 000007
【図６】
2017110679.tif 000008
【図７】
2017110679.tif 000009
【国際調査報告】
2017110679.tif 000010
2017110679.tif 000011
2017110679.tif 000012
2017110679.tif 000013